(57)【要約】  電気刺激治療の送達を制御する例示的な方法は、患者に電気刺激を送達するように構成された医療デバイスの１つまたは複数のプロセッサが、医療デバイスが患者に電気刺激を送達するために使用するクロックと連動したカウンタを維持するステップと、１つまたは複数のプロセッサが、カウンタのカウントを基準とする患者についての感知された電気信号の１つまたは複数の表現を取得するステップとを含む。この例では、この方法は、患者についての感知された電気信号の１つまたは複数の表現に基づいて、刺激を患者に送達するカウンタのカウントを識別するステップと、医療デバイスが、カウンタの識別されたカウントに基づいて患者に電気刺激を送達するステップとをさらに含む。
2020503972.tif 000002
【特許請求の範囲】
【請求項１】
電気刺激治療の送達を制御する方法であって、
患者に電気刺激を送達するように構成された医療デバイスの１つまたは複数のプロセッサが、前記医療デバイスが前記患者に前記電気刺激を送達するために使用するクロックと連動したカウンタを維持するステップと、
前記１つまたは複数のプロセッサが、前記カウンタのカウントを基準とする前記患者についての感知された電気信号の１つまたは複数の表現を取得するステップと、
前記１つまたは複数のプロセッサが、前記患者についての前記感知された電気信号の前記１つまたは複数の表現に基づいて、刺激を前記患者に送達する前記カウンタのカウントを識別するステップと、
前記医療デバイスが、前記カウンタの前記識別されたカウントに基づいて前記患者に電気刺激を送達するステップと、を含む、方法。
【請求項２】
前記医療デバイスの前記１つまたは複数のプロセッサが、別のデバイスに伝送するために、前記カウンタのカウントを基準とする前記患者についての感知された電気信号の前記表現を出力するステップをさらに含み、
刺激を前記患者に送達する前記カウンタのカウントを識別するステップが、
前記１つまたは複数のプロセッサが、前記別のデバイスから、刺激を前記患者に送達する前記カウンタの前記識別されたカウントを受信するステップを含む、請求項１に記載の方法。
【請求項３】
前記カウンタの前記識別されたカウントに基づいて電気刺激を送達するステップが、
前記カウンタの前記識別されたカウントが前記カウンタの現在のカウントの後に生じることになると判定したことに応答して、前記カウンタの前記識別されたカウントで電気刺激を送達するステップを含む、請求項１に記載の方法。
【請求項４】
前記カウンタの前記識別されたカウントに基づいて電気刺激を送達するステップが、
前記カウンタの前記識別されたカウントが既に生じており、前記カウンタの現在のカウントと前記カウンタの前記識別されたカウントの間の差がしきい値カウント差を満足すると判定したことに応答して、前記カウンタの前記現在のカウントで電気刺激を送達するステップを含む、請求項１に記載の方法。
【請求項５】
前記カウンタの前記識別されたカウントに基づいて電気刺激を送達するステップが、
前記カウンタの前記識別されたカウントが既に生じており、前記カウンタの現在のカウントと前記カウンタの前記識別されたカウントの間の差がしきい値カウント差を満足しないと判定したことに応答して、前記識別されたカウントに基づいて電気刺激を送達することを控えるステップを含む、請求項１に記載の方法。
【請求項６】
前記カウントを識別するステップが、
前記１つまたは複数のプロセッサが、前記患者の活動と一致すると予測される前記カウンタのカウントを識別するステップを含む、請求項１に記載の方法。
【請求項７】
前記患者の前記活動が、前記患者の脳のシータ波のピークを含む、請求項６に記載の方法。
【請求項８】
前記患者の前記活動が、前記患者の電気信号において周期信号中の点を含む、請求項６に記載の方法。
【請求項９】
前記患者の前記活動が、前記患者の電気信号において周期信号中の位相を含む、請求項６に記載の方法。
【請求項１０】
医療デバイスであって、
患者についての感知された電気信号の表現を格納するように構成されたメモリと、
前記医療デバイスが患者に電気刺激を送達するために使用するクロックと連動したカウンタを維持し、
前記カウンタのカウントを基準とする前記患者についての感知された電気信号の１つまたは複数の表現を取得し、
前記患者についての前記感知された電気信号の前記１つまたは複数の表現に基づいて、刺激を前記患者に送達する前記カウンタのカウントを識別し、
前記カウンタの前記識別されたカウントに基づいて前記患者に電気刺激を送達する
ように構成された１つまたは複数のプロセッサと
を含む、医療デバイス。
【請求項１１】
前記カウンタのカウントを基準とする前記患者についての感知された電気信号の前記表現を別のデバイスに伝送するように構成されたテレメトリモジュールをさらに含み、
刺激を前記患者に送達する前記カウンタの前記カウントを識別するために、前記１つまたは複数のプロセッサが、
前記別のデバイスから前記テレメトリモジュールを介して、刺激を前記患者に送達する前記カウンタの前記識別されたカウントを受信するように構成される、請求項１０に記載の医療デバイス。
【請求項１２】
前記カウンタの前記識別されたカウントに基づいて電気刺激を送達するために、前記１つまたは複数のプロセッサが、
前記カウンタの前記識別されたカウントが前記カウンタの現在のカウントの後に生じることになると判定したことに応答して、前記カウンタの前記識別されたカウントで電気刺激を送達するように構成される、請求項１０に記載の医療デバイス。
【請求項１３】
前記カウンタの前記識別されたカウントに基づいて電気刺激を送達するために、前記１つまたは複数のプロセッサが、
前記カウンタの前記識別されたカウントが既に生じており、前記カウンタの現在のカウントと前記カウンタの前記識別されたカウントの間の差がしきい値カウント差を満足すると判定したことに応答して、前記カウンタの前記現在のカウントで電気刺激を送達するように構成される、請求項１０に記載の医療デバイス。
【請求項１４】
前記カウンタの前記識別されたカウントに基づいて電気刺激を送達するために、前記１つまたは複数のプロセッサが、
前記カウンタの前記識別されたカウントが既に生じており、前記カウンタの現在のカウントと前記カウンタの前記識別されたカウントの間の差が前記しきい値カウント差を満足しないと判定したことに応答して、前記識別されたカウントに基づいて電気刺激を送達することを控えるように構成される、請求項１０に記載の医療デバイス。
【請求項１５】
前記カウントを識別するために、前記１つまたは複数のプロセッサが、
前記患者の活動と一致すると予測される前記カウンタのカウントを識別するように構成される、請求項１０に記載の医療デバイス。
【請求項１６】
前記患者の前記活動が、
前記患者の脳のシータ波のピーク、
前記患者の電気信号における周期信号中の点、または
前記患者の電気信号における周期信号中の位相
のうちの１つまたは複数を含む、請求項１５に記載の医療デバイス。
【請求項１７】
実行されたときに、医療デバイスの１つまたは複数のプロセッサに、
前記医療デバイスが患者に電気刺激を送達するために使用するクロックと連動したカウンタを維持させ、
前記カウンタのカウントを基準とする前記患者についての感知された電気信号の１つまたは複数の表現を取得させ、
前記患者についての前記感知された電気信号の前記１つまたは複数の表現に基づいて、刺激を前記患者に送達する前記カウンタのカウントを識別させ、
前記カウンタの前記識別されたカウントに基づいて前記患者に電気刺激を送達させる
命令を格納する、コンピュータ可読ストレージ媒体。
【請求項１８】
電気刺激治療の送達を制御する方法であって、
デバイスのテレメトリモジュールが、患者に前記電気刺激を送達するために医療デバイスによって使用されるクロックと連動したカウンタを維持する前記医療デバイスから、前記カウンタのカウントを基準とする前記患者についての感知された電気信号の１つまたは複数の表現を受信するステップと、
前記デバイスの１つまたは複数のプロセッサが、前記患者についての感知された電気信号の前記表現に基づいて、刺激を前記患者に送達する前記カウンタのカウントを識別するステップと、
前記テレメトリモジュールが、前記カウンタの前記識別されたカウントに基づいて刺激を送達するコマンドを前記医療デバイスに出力するステップとを含む、方法。
【請求項１９】
前記カウントを識別するステップが、
前記１つまたは複数のプロセッサが、前記患者の活動と一致すると予測される前記カウンタのカウントを識別するステップを含む、請求項１８に記載の方法。
【請求項２０】
前記患者の前記活動が、前記患者の脳のシータ波のピークを含む、請求項１９に記載の方法。
【請求項２１】
前記患者の前記活動が、前記患者の電気信号において周期信号中の点を含む、請求項１９に記載の方法。
【請求項２２】
前記患者の前記活動が、前記患者の電気信号において周期信号中の位相を含む、請求項１９に記載の方法。
【請求項２３】
医療デバイスプログラマであって、
患者に電気刺激を送達するために医療デバイスによって使用されるクロックと連動したカウンタを維持する前記医療デバイスと通信するように構成されたテレメトリモジュールと、
前記テレメトリモジュールを介して、前記カウンタのカウントを基準とする前記患者についての感知された電気信号の１つまたは複数の表現を前記医療デバイスから受信し、
前記患者についての感知された電気信号の前記表現に基づいて、刺激を前記患者に送達する前記カウンタのカウントを識別し、
前記テレメトリモジュールを介して、前記カウンタの前記識別されたカウントに基づいて刺激を送達するコマンドを前記医療デバイスに出力する
ように構成された１つまたは複数のプロセッサとを含む、医療デバイスプログラマ。
【請求項２４】
前記カウントを識別することが、
前記１つまたは複数のプロセッサが、前記患者の活動と一致すると予測される前記カウンタのカウントを識別することを含む、請求項２３に記載の医療デバイス。
【請求項２５】
前記患者の前記活動が、
前記患者の脳のシータ波のピーク、
前記患者の電気信号における周期信号中の点、または
前記患者の電気信号における周期信号中の位相
のうちの１つまたは複数を含む、請求項２４に記載の医療デバイス。
【請求項２６】
実行されたときに、医療デバイスプログラマの１つまたは複数のプロセッサに、
前記医療デバイスプログラマのテレメトリモジュールを介して、患者に電気刺激を送達するために医療デバイスによって使用されるクロックと連動したカウンタを維持する前記医療デバイスから、前記カウンタのカウントを基準とする前記患者についての感知された電気信号の１つまたは複数の表現を受信させ、
前記患者についての感知された電気信号の前記表現に基づいて、刺激を前記患者に送達する前記カウンタのカウントを識別させ、
前記テレメトリモジュールを介して、前記カウンタの前記識別されたカウントに基づいて刺激を送達するコマンドを前記医療デバイスに出力させる
命令を格納するコンピュータ可読ストレージ媒体。
【請求項２７】
患者に電気刺激を送達するために医療デバイスによって使用されるクロックと連動するカウンタを維持するように構成された医療デバイスと、
前記カウンタのカウントを基準とする前記患者についての感知された電気信号の１つまたは複数の表現に基づいて、刺激を前記患者に送達する前記カウンタのカウントを識別するように構成された１つまたは複数のプロセッサとを含み、
前記医療デバイスが、前記識別されたカウントに基づいて前記患者に刺激を送達するように構成される、システム。
【発明の詳細な説明】
【技術分野】
【０００１】
[0001]関連出願の相互参照
本願は、ともにその全体を参照により本明細書に組み込む、２０１７年１月１３日出願の米国仮出願第６２／４４５９９６号、および２０１７年１２月２０日出願の米国仮出願第１５／８４８２９１号の利益を主張するものである。
【０００２】
[0002]政府の利益
本発明は、ＤＡＲＰＡにより提供されるｐｒｉｍｅ  ａｗａｒｄ番号Ｎ６６００１−１４−２−４−３１、ｓｕｂ−ａｗａｒｄ番号５６４００の下で政府の利益を伴って行われたものである。政府は、本発明において一定の権利を有する。
【０００３】
[0003]本開示は、電気刺激治療に関する。
【背景技術】
【０００４】
[0004]脳深部刺激療法（ＤＢＳ）、脊髄刺激療法（ＳＣＳ）、骨盤刺激療法、胃刺激療法、末梢神経刺激療法、機能的電気刺激療法、あるいは医薬品、インシュリン、鎮痛剤、または抗炎症剤の患者の体内の目標組織部位への送達など、様々な治療分野で使用される電気刺激装置または治療薬送達デバイスなどの埋込み型医療デバイスが提案されている。いくつかの治療システムでは、埋込み型電気刺激装置は、医療リードによって、かつ／または電気刺激装置の筐体上に、あるいはその両方で配置することができる１つまたは複数の電極を援用して患者の体内の目標組織部位に対して電気治療を送達する。
【０００５】
[0005]医療デバイスの埋込み中に行われることもあるプログラミング期間中、試験期間中、あるいは医療デバイスを患者に埋め込んだ後の院内または遠隔の経過観察期間中に、臨床医が、当該患者に有効な治療を提供することが判明した１つまたは複数の治療プログラム（治療パラメータセットとも呼ばれる）を作成することがある。ここで、各治療プログラムは、治療パラメータのセットの値を定義することもある。医療デバイスは、１つまたは複数の格納した治療プログラムに従って、患者に対して治療を送達することができる。電気刺激療法の場合には、治療パラメータは、送達される電気刺激波形の特徴を定義することがある。電気刺激が電気パルスの形態で送達される例では、例えば、治療パラメータは、電極の組合せおよび電極の極性を含む電極構成、電流の振幅であることも電圧の振幅であることもある振幅、パルス幅、およびパルスレートを含むことがある。
【０００６】
[0006]いくつかの医療デバイスは、生体電気脳信号などの患者のパラメータを感知するように構成される。感知した患者のパラメータは、医療デバイスによる治療送達を制御するなど、様々な目的に使用される可能性がある。
【発明の概要】
【発明が解決しようとする課題】
【０００７】
本願発明の一実施例は、例えば、電気刺激の正確な送達に関する。
【課題を解決するための手段】
【０００８】
[0007]１つの例では、電気刺激治療の送達を制御する方法は、患者に電気刺激を送達するように構成された医療デバイスの１つまたは複数のプロセッサが、医療デバイスが患者に電気刺激を送達するために使用するクロックと連動したカウンタを維持するステップと、１つまたは複数のプロセッサが、カウンタのカウントを基準とする患者についての感知された電気信号の１つまたは複数の表現を取得するステップと、１つまたは複数のプロセッサが、患者についての感知された電気信号の１つまたは複数の表現に基づいて、刺激を患者に送達するカウンタのカウントを識別するステップと、医療デバイスが、カウンタの識別されたカウントに基づいて患者に電気刺激を送達するステップと、を含む。
【０００９】
[0008]別の例では、医療デバイスは、患者についての感知された電気信号の表現を格納するように構成されたメモリと、１つまたは複数のプロセッサとを含む。この例では、１つまたは複数のプロセッサは、医療デバイスが患者に電気刺激を送達するために使用するクロックと連動したカウンタを維持し、カウンタのカウントを基準とする患者についての感知された電気信号の１つまたは複数の表現を取得し、患者についての感知された電気信号の１つまたは複数の表現に基づいて、刺激を患者に送達するカウンタのカウントを識別し、カウンタの識別されたカウントに基づいて患者に電気刺激を送達するように構成される。
【００１０】
[0009]別の例では、コンピュータ可読ストレージ媒体は、実行されたときに、医療デバイスの１つまたは複数のプロセッサに、医療デバイスが患者に電気刺激を送達するために使用するクロックと連動したカウンタを維持させ、カウンタのカウントを基準とする患者についての感知された電気信号の１つまたは複数の表現を取得させ、患者についての感知された電気信号の１つまたは複数の表現に基づいて、刺激を患者に送達するカウンタのカウントを識別させ、カウンタの識別されたカウントに基づいて患者に電気刺激を送達させる命令を格納する。
【００１１】
[0010]別の例では、医療デバイスは、医療デバイスが患者に電気刺激を送達するために使用するクロックと連動したカウンタを維持する手段と、カウンタのカウントを基準とする患者についての感知された電気信号の１つまたは複数の表現を取得する手段と、患者についての感知された電気信号の１つまたは複数の表現に基づいて、刺激を患者に送達するカウンタのカウントを識別する手段と、カウンタの識別されたカウントに基づいて患者に電気刺激を送達する手段とを含む。
【００１２】
[0011]別の例では、電気刺激治療の送達を制御する方法は、デバイスのテレメトリモジュールが、患者に電気刺激を送達するために医療デバイスによって使用されるクロックと連動したカウンタを維持する医療デバイスから、カウンタのカウントを基準とする患者についての感知された電気信号の１つまたは複数の表現を受信するステップと、デバイスの１つまたは複数のプロセッサが、患者についての感知された電気信号の表現に基づいて、刺激を患者に送達するカウンタのカウントを識別するステップと、テレメトリモジュールが、カウンタの識別されたカウントに基づいて刺激を送達するコマンドを医療デバイスに出力するステップとを含む。
【００１３】
[0012]別の例では、医療デバイスプログラマは、患者に電気刺激を送達するために医療デバイスによって使用されるクロックと連動したカウンタを維持する医療デバイスと通信するように構成されたテレメトリモジュールと、１つまたは複数のプロセッサとを含む。この例では、１つまたは複数のプロセッサは、テレメトリモジュールを介して、カウンタのカウントを基準とする患者についての感知された電気信号の１つまたは複数の表現を医療デバイスから受信し、患者についての感知された電気信号の表現に基づいて、刺激を患者に送達するカウンタのカウントを識別し、テレメトリモジュールを介して、カウンタの識別されたカウントに基づいて刺激を送達するコマンドを医療デバイスに出力するように構成される。
【００１４】
[0013]別の例では、コンピュータ可読ストレージ媒体は、実行されたときに、医療デバイスプログラマの１つまたは複数のプロセッサに、医療デバイスプログラマのテレメトリモジュールを介して、患者に電気刺激を送達するために医療デバイスによって使用されるクロックと連動したカウンタを維持する医療デバイスから、カウンタのカウントを基準とする患者についての感知された電気信号の１つまたは複数の表現を受信させ、患者についての感知された電気信号の表現に基づいて、刺激を患者に送達するカウンタのカウントを識別させ、テレメトリモジュールを介して、カウンタの識別されたカウントに基づいて刺激を送達するコマンドを医療デバイスに出力させる命令を格納する。
【００１５】
[0014]別の例では、医療デバイスプログラマは、患者に電気刺激を送達するために医療デバイスによって使用されるクロックと連動したカウンタを維持する医療デバイスから、カウンタのカウントを基準とする患者についての感知された電気信号の１つまたは複数の表現を受信する手段と、患者についての感知された電気信号の表現に基づいて、刺激を患者に送達するカウンタのカウントを識別する手段と、カウンタの識別されたカウントに基づいて刺激を送達するコマンドを医療デバイスに出力する手段とを含む。
【００１６】
[0015]別の例では、システムは、患者に電気刺激を送達するために医療デバイスによって使用されるクロックと連動するカウンタを維持するように構成された医療デバイスと、カウンタのカウントを基準とする患者についての感知された電気信号の１つまたは複数の表現に基づいて、刺激を患者に送達するカウンタのカウントを識別するように構成された１つまたは複数のプロセッサとを含む。この例では、医療デバイスは、識別されたカウントに基づいて患者に刺激を送達するように構成される。
【００１７】
[0016]１つまたは複数の例の詳細を、添付の図面および以下の説明に記載する。本開示のその他の特徴、目的、および利点は、この説明および図面、ならびに特許請求の範囲から明らかになるであろう。
【図面の簡単な説明】
【００１８】
【図１】[0017]患者の脳内の組織部位に電気刺激治療を送達するように構成された例示的な脳深部刺激（ＤＢＳ）システムを示す概念図である。
【図２】[0018]例示的な医療デバイスの構成要素を示す機能ブロック図である。
【図３】[0019]例示的な医療デバイスプログラマの構成要素を示す機能ブロック図である。
【図４Ａ】[0020]電気刺激治療の例示的な送達を示すグラフである。
【図４Ｂ】電気刺激治療の例示的な送達を示すグラフである。
【図５】[0021]本開示の１つまたは複数の技術による、正確な時点に患者に電気刺激を送達する例示的な技術を示す流れ図である。
【図６】[0022]本開示の１つまたは複数の技術による、正確な時点における患者への電気刺激の送達を制御する例示的な技術を示す流れ図である。
【発明を実施するための形態】
【００１９】
[0023]一般に、本開示は、正確な時点に患者に電気刺激を送達するデバイス、システム、および方法を対象とする。デバイスは、開ループまたは閉ループ技術を用いて電気刺激を患者に送達することができる。いずれの場合も、刺激を送達すると決定したことに応答して、デバイスは、電気刺激を生成して送達することができる。いくつかの例では、デバイスは、直ちに電気刺激を送達することができる。しかし、いくつかの例では、デバイスが将来の正確な時点に電気刺激を送達することが望ましいこともある。例えば、デバイスが電気刺激の送達を患者の活動（例えば、外部源からのピーク振戦および／または患者の脳の電気的活動）と同期させることが望ましいこともある。ただし、デバイスが電気刺激を送達すると決定したことに応答して直ちに電気刺激を送達するように構成されている場合には、処理および／または通信の遅延が、電気刺激の時間的に正確な送達を妨げることがある。シータ刺激の例では、２Ｈｚから８Ｈｚのシータ波の周波数では、この波のピークで必ず刺激を送達するためには、３０ｍｓより小さい時間域で刺激を送達する必要があることがある。処理および通信の変動は数百ミリ秒で起こることがあるので、時間的に正確に電気刺激を送達することができることは、デバイスのエネルギーを節約し、かつ／または治療を最適化する上で重要であることがある。
【００２０】
[0024]本開示の１つまたは複数の技術によれば、デバイスは、特定の時点に患者に電気刺激を送達するコマンドを実行することができる。いくつかの例では、このコマンドは、デバイスが電気刺激を送達するために使用するクロックと連動するティックカウンタのカウントを識別することができる。このクロックは、デバイスの刺激エンジンを形成し、かつ／または実行する１つまたは複数のプロセッサによって使用されるクロック信号であることもある。いくつかの例では、このデバイスは、クロックのサイクルごとにティックカウンタを増分することができる。例えば、このデバイスは、クロック信号の立ち上がり縁部または立ち下がり縁部に応答してティックカウンタを増分することがある。
【００２１】
[0025]このデバイスは、ティックカウンタの識別したカウンタに基づいて、電気刺激を患者に送達することができる。例えば、このデバイスは、カウンタの識別されたカウントがカウンタの現在のカウントの後で生じることになると決定したことに応答して、識別されたカウントで電気刺激を送達することもできる。しかし、いくつかの例では、カウンタの識別されたカウントが、デバイスがそのカウントを識別するコマンドを受信したときには既に過ぎてしまっていることもある。いくつかの例では、カウンタの識別されたカウントが既に過ぎていても、識別されたカウントが生じてからそれほど経過していない場合には、デバイスが電気刺激を送達することが依然として望ましいことがある。したがって、いくつかの例では、デバイスは、カウンタの識別されたカウントが既に生じており、カウンタの現在のカウントとカウンタの識別されたカウントの間の差がしきい値カウント差を満足する（すなわち「遅れマージン」内である）と判定したことに応答して、カウンタの現在のカウントで電気刺激を送達することもある。同様に、いくつかの例では、デバイスは、カウンタの識別されたカウントが既に生じており、カウンタの現在のカウントとカウンタの識別されたカウントの間の差がしきい値カウント差を満足しないと判定したことに応答して、識別されたカウントに基づいて電気刺激を送達することを控えることもある。このように、デバイスは、刺激を送達する時間的精度を改善することができる。
【００２２】
[0026]上述のように、いくつかの例では、デバイスは、閉ループ技術を用いて電気刺激を送達することがある。いくつかの技術では、デバイスは、感知した患者のパラメータに基づいて、電気刺激を患者に送達することができる。いくつかの例では、デバイスは、カウンタのカウントを基準にした患者についての感知した電気信号の表現を取得することができる。デバイスは、これらの表現に基づいて、刺激を患者に送達するカウンタのカウントを識別することができる。カウントの識別が、カウンタのカウントを基準にした患者についての感知した電気信号の表現に基づいているので、このデバイスは、刺激を患者に送達する将来のカウントをより良好に決定することができる。例えば、患者の周期的な活動電気的活動と同期した刺激を送達することが望ましい場合には、デバイスは、その周期的活動の特定の点または位相（例えばシータ波のピーク、シータ波の谷など）と一致すると予測される将来のカウントを識別することができる。このようにして、デバイスは、刺激が送達される時間的精度を改善することができる。
【００２３】
[0027]いくつかの例では、刺激を送達するカウントの識別は、刺激装置を含むデバイスによって全体が実行されることがある。例えば、デバイスは、カウンタのカウントを基準とする患者についての感知した電気信号の表現を取得し、取得した表現に基づいてカウントを識別し、識別されたカウントに基づいて電気刺激を送達することができる。刺激を送達するカウントの識別の全体を１つのデバイスによって実行することができるいくつかの例では、そのデバイスを、「埋込み」モードで動作するものと考えることができる。
【００２４】
[0028]いくつかの例では、１つまたは複数の他のデバイスが、刺激を送達するカウントの識別に参加することもある。例えば、刺激装置を含むデバイスは、カウンタのカウントを基準とする患者についての感知した電気信号の表現を取得し、その表現を別のデバイスに伝送（例えば有線伝送またはワイヤレス伝送）するために出力することもある。この別のデバイスは、取得した表現に基づいて、刺激を送達する将来のカウントを識別し、識別されたカウントを含むコマンドを刺激装置を含むデバイスに伝送することができる。刺激装置を含むデバイスは、このコマンドを受信し、識別されたカウントに基づいて電気信号を送達することができる。刺激を送達するカウントの識別の全体、または少なくとも一部を、刺激装置を含むデバイス以外のデバイスが行うことができるいくつかの例では、そのシステムは、「分散型」モードで動作するものと考えることができる。
【００２５】
[0029]図１は、患者１２に治療を送達して患者１２の疾患を管理するように構成された例示的な治療システム１０を示す概念図である。患者１２は、通常は、人間の患者である。ただし、場合によっては、治療システム１０は、人間以外の他の哺乳類または非哺乳類の患者に適用されることもある。図１に示す例では、治療システム１０は、医療デバイスプログラマ１４と、埋込み型医療デバイス（ＩＭＤ）１６と、リード延長部１８と、電極のセット２４および２６をそれぞれ備える１つまたは複数のリード２０Ａおよび２０Ｂ（「リード２０」と総称する）とを含む。ＩＭＤ１６は、電気刺激治療を生成して、リード２０Ａの１つまたは複数の電極２４および２０Ｂの１つまたは複数の電極２６を介して患者１２の脳２８の１つまたは複数の領域に送達するように構成された刺激生成器を含む。
【００２６】
[0030]図１に示す例では、治療システム１０は、ＩＭＤ１６が、例えば脳２８の硬膜下の組織部位、または１つもしくは複数の枝もしくは節、あるいは繊維の走行の合流点など、脳２８内の組織に直接電気刺激治療を送達するように構成されるので、脳深部刺激（ＤＢＳ）システムと呼ばれることもある。他の例では、リード２０は、脳２８の表面（例えば脳２８の皮質表面）に治療を送達するように位置決めされることもある。例えば、いくつかの例では、ＩＭＤ１６は、例えば脳２８の皮質内の１つまたは複数の組織部位に電気刺激を送達することによって、皮質刺激治療を患者１２に提供することがある。別の例として、ＩＭＤ１６は、１つまたは複数の迷走神経組織部位に電気刺激を送達することによって、迷走神経刺激（ＶＮＳ）療法を患者１２に提供することもある。
【００２７】
[0031]ＤＢＳは、限定されるわけではないが、患者１２の発作疾患（例えば癲癇）、痛み、偏頭痛、精神疾患（例えば大鬱病性障害（ＭＤＤ）、双極性障害、不安障害、外傷後ストレス障害、気分変調症、および強迫性障害（ＯＣＤ））、行動異常、気分障害、記憶障害、精神障害、運動障害（例えば突発性振戦またはパーキンソン病）、ハンチントン病、アルツハイマー病、あるいはその他の神経性または精神性疾患または障害など、様々な患者の状態を治療または管理するために使用される可能性がある。
【００２８】
[0032]脳２８、または患者１２の体内の別の適当な治療送達目標部位への治療の送達によってその他の患者の状態を治療するように構成された治療システムも、本明細書に開示する技術に従って使用することができる。例えば、治療システム１０の他の応用分野では、患者１２の体内の治療送達目標部位は、患者１２の体内の脊髄または仙骨神経（例えばＳ２、Ｓ３、またはＳ４の仙骨神経）、あるいは患者１２の体内のその他の任意の適当な神経、器官、筋肉、または筋群の近傍の位置であることもあり、これらは、例えば患者の状態に基づいて選択することができる。例えば、治療システム１０は、陰部神経、会陰神経、またはその他の神経系の領域の近傍の組織に電気刺激または治療薬を送達するために使用されることもあり、その場合には、リード２０は、それぞれの神経の近傍に埋め込まれ、実質的に固定されることになる。さらに別の例では、電気刺激システムは、末梢神経障害または術後疼痛緩和を管理するのを助けるための刺激、腸骨鼠径神経刺激、肋間神経刺激、胃運動障害および肥満を治療するための胃刺激、排尿機能障害、排泄機能障害、性機能障害、その他の末梢神経痛および限局痛（例えば脚の痛みまたは背中の痛み）の緩和のための筋肉刺激を送達するように位置決めされることもある。
【００２９】
[0033]図１に示す例では、ＩＭＤ１６は、患者１２の胸筋領域の皮下ポケット内に埋め込まれることがある。他の例では、ＩＭＤ１６は、患者１２の腹部または臀部の皮下ポケットあるいは患者１２の頭蓋の近傍の皮下ポケットなど、患者１２の他の領域内に埋め込まれることもある。埋め込まれたリード延長部１８は、コネクタブロック３０（ヘッダとも呼ばれる）を介してＩＭＤ１６に結合され、このコネクタブロック３０は、例えば、リード延長部１８上のそれぞれの電極に電気的に結合する電気接点を含むことがある。電気接点は、リード２０に担持される電極２４および２６をＩＭＤ１６に電気的に結合する。リード延長部１８は、患者１２の胸腔内のＩＭＤ１６の埋込み部位から患者１２の首に沿って延び、患者１２の頭蓋を通って脳２８に達する。ＩＭＤ１６は、体液によって腐食および劣化しにくい生体適合性材料で構成することができる。ＩＭＤ１６は、プロセッサ、治療モジュール、およびメモリなどの構成要素を実質的に封入する気密筐体３４を含むこともある。
【００３０】
[0034]図１に示す例では、リード２０は、実装する治療システム１０の管理対象の患者の状態の種類など、多くの要因に基づいて選択することができる脳２８の１つまたは複数の領域に電気刺激を送達するために、脳２８の右半球および左半球内にそれぞれ埋め込まれる。リード２０およびＩＭＤ１６のその他の埋込み部位も考えられる。例えば、ＩＭＤ１６が、頭蓋３２上、または頭蓋３２内に埋め込まれることも、リード２０が、同じ半球内の複数の目標組織部位に埋め込まれることも、あるいはＩＭＤ１６が、脳２８の一方または両方の半球に埋め込まれた１本のリードに結合されることもある。
【００３１】
[0035]リード２０は、脳２８内の１つまたは複数の目標組織部位に電気刺激を送達して、患者１２の疾患に関連する患者の症状を管理するように位置決めされることがある。リード２０は、患者１２の頭蓋骨のそれぞれの穿頭孔を通す、または頭蓋３２の共通の穿頭孔を通すなど、任意の適当な技術を介して、電極２４および２６を脳２８の所望の位置に位置決めするように埋め込まれることもある。リード２０は、電極２４および２６が治療中に脳２８内の治療送達目標部位に電気刺激を提供することができるように、脳２８内の任意の位置に配置することができる。様々な神経性または精神性疾患は、脳２８の領域の１つまたは複数の活動と関連している可能性があり、それは患者によって異なる可能性がある。したがって、リード２０によって送達される電気刺激治療の治療送達目標部位は、患者の状態に基づいて選択することができる。例えば、患者１２の運動障害を制御するのに適した脳２８内の治療送達目標部位は、大脳脚橋被蓋核（ｐｅｄｕｎｃｕｌｏｐｏｎｔｉｎｅ  ｎｕｃｌｅｕｓ）（ＰＰＮ）、視床、大脳基底核構造（例えば淡蒼球、黒質、または視床下核）、不確帯、繊維路、レンズ核束（およびその枝）、レンズ核ワナ、またはフォレル野（視床束）を含む可能性がある。ＰＰＮは、脚橋被蓋核（ｐｅｄｕｎｃｕｌｏｐｏｎｔｉｎｅ  ｔｅｇｍｅｎｔａｌ  ｎｕｃｌｅｕｓ）と呼ばれることもある。
【００３２】
[0036]別の例として、ＭＤＤ、双極性障害、ＯＣＤ、またはその他の不安障害の場合には、リード２０は、脳２８の内包の前肢および内包の前肢の腹側部（ＶＣ／ＶＳとも呼ばれる）のみ、帯状皮質の前帯状部分（ＣＧ２５と呼ばれることもある）、前帯状皮質のブロードマン領野３２および２４、背外側および内側の前頭前皮質（ＰＦＣ）（例えばブロードマン領野９）、腹内側前頭前皮質（例えばブロードマン領野１０）、側方および内側の眼窩前頭皮質（例えばブロードマン領野１１）を含む前頭前皮質の様々な部分、内側または中隔側坐核、視床、視床髄板内核、扁桃体、海馬、外側視床下部、青斑核、背側縫線核、腹側被蓋野、黒質、視床下核、下視床脚、視床の背側内側核、手綱、分界条床核、あるいはそれらの任意の組合せに電気刺激を送達するように埋め込まれることもある。
【００３３】
[0037]別の例として、発作疾患またはアルツハイマー病の場合には、例えば、リード２０は、例えば視床前核、内包、帯状体、脳弓体、乳頭体、乳頭体視床路（乳頭体視床束）、または海馬など、Ｐａｐｅｚ回路内の領域に電気刺激を送達するように埋め込まれることもある。
【００３４】
[0038]別の例として、パーキンソン病の場合には、例えば、リード２０は、単側的または両側的に視床下核（ＳＴＮ）内の領域に電気刺激を送達するように埋め込まれることもある。患者１２の脳２８内に位置していない治療送達目標部位も考えられる。
【００３５】
[0039]図１では、リード２０は共通のリード延長部１８に結合されるものとして示してあるが、他の例では、リード２０は、別個のリード延長部を介してＩＭＤ１６に結合されることも、あるいは直接ＩＭＤ１６に結合されることもある。さらに、図１では、システム１０を、リード延長部１８を介してＩＭＤ１６に結合された２本のリード２０Ａおよび２０Ｂを含むものとして示しているが、いくつかの例では、システム１０は、リードを１本しか含まないことも、あるいは３本以上含むこともある。
【００３６】
[0040]図１に示す例では、リード２０の電極２４および２６は、リング電極として示してある。リング電極は、比較的容易にプログラムすることができ、リード２０に近接する任意の組織に電界を送達することができる可能性がある。他の例では、リード２０の電極２４、２６は、異なる構成を有することもある。例えば、リード２０の電極２４、２６の１つまたは複数は、インタリーブ型刺激などの成形された電界を生成することができる複雑な電極アレイの幾何学的形状を有することもある。複雑な電極アレイの幾何学的形状の例は、リードの長さに沿った異なる軸方向位置、およびリードの周囲などの外周の周りの異なる角度位置に位置決めされた電極のアレイを含む可能性がある。複雑な電極アレイの幾何学的形状は、リング電極に加えて、またはリング電極の代わりに、各リード２０の外周の周りの複数の電極（例えば部分的なリング電極または分割電極）を含むこともある。このようにして、電気刺激を、リード２０から特定の方向に向けて、治療効果を向上させ、大きな体積の組織を刺激することによる有害な副作用の可能性を低下させることができる。さらに別の例として、電極は、パドルリードまたは円筒形リード上に担持されることがあるパッド電極であってもよい。
【００３７】
[0041]いくつかの例では、ＩＭＤ１６の外側筐体３４は、１つまたは複数の刺激電極および／または感知電極を含むことがある。例えば、筐体３４が、ＩＭＤ１６が患者１２に埋め込まれたときに患者１２の組織に対して露出する導電性材料を含むこともできるし、あるいは、電極を筐体３４に取り付けることもできる。他の例では、リード２０は、アクティブまたはパッシブな先端構成を有する図１に示すような細長い円筒以外の形状を有することもある。例えば、リード２０は、パドルリード、球形リード、屈曲可能リード、または患者１２の治療に有効なその他の任意のタイプの形状とすることができる。
【００３８】
[0042]ＩＭＤ１６は、１つまたは複数の刺激治療プログラム（本明細書では「刺激パラメータ値のセット」とも呼ぶ）に従って患者１２の脳２８に電気刺激治療を送達することができる。刺激治療プログラムは、ＩＭＤ１６の刺激生成器によって生成され、ＩＭＤ１６から１つまたは複数の電極２４、２６を介して患者１２の体内の治療送達目標部位に送達される治療についての１つまたは複数の電気刺激パラメータ値を規定することができる。電気刺激パラメータは、電気刺激治療の特徴を規定することができ、例えば、電気刺激信号の電圧または電流の振幅、電気刺激の電荷レベル、電気刺激信号の周波数、波形の形状、およびオン／オフ繰返し状態（例えば繰返しが「オフ」である場合には、刺激は常にオンであり、繰返しが「オン」である場合には、刺激はオンとオフを繰り返す）を含む可能性があり、さらに電気刺激パルスの場合には、パルスレート、パルス幅、および持続時間または衝撃係数などその他の適当なパラメータなどを含む可能性がある。さらに、異なる電極が刺激の送達に利用可能である場合には、治療プログラムの治療パラメータは、選択される電極２４および２６と、それらの極性とを規定することができる電極の組合せによってさらに特徴付けられることがある。いくつかの例では、刺激は、連続的な波形を用いて送達されることもあり、刺激パラメータは、その波形を規定することがある。
【００３９】
[0043]患者１２の疾患を管理するために治療を送達するように構成されるだけでなく、治療システム１０は、患者の生体電気脳信号または別の生理学的パラメータを感知するように構成されることもある。例えば、ＩＭＤ１６は、電極２４、２６のサブセット、または別の電極セット、あるいはその両方を介して脳２８の１つまたは複数の領域内の生体電気脳信号を感知するように構成された感知モジュールを含むこともある。したがって、いくつかの例では、電極２４、２６は、治療モジュールから脳２８内の目標部位に電気刺激を送達するだけでなく、脳２８内の脳信号を感知するために使用されることもある。ただし、ＩＭＤ１６は、別個の感知電極のセットを使用して、生体電気脳信号を感知することもできる。いくつかの例では、ＩＭＤ１６の感知モジュールは、脳２８に電気刺激を送達するためにも使用される電極２４、２６のうちの１つまたは複数を介して生体電気脳信号を感知することもある。他の例では、電極２４、２６のうちの１つまたは複数が、生体電気脳信号を感知するために使用され、１つまたは複数の異なる電極２４、２６が、電気刺激を送達するために使用されることもある。
【００４０】
[0044]外部医療デバイスプログラマ１４は、治療情報を提供する、または取り出す必要があるときに、ＩＭＤ１６とワイヤレス通信するように構成される。プログラマ１４は、例えば臨床医および／または患者１２などのユーザがＩＭＤ１６と通信するために使用することができる外部コンピューティングデバイスである。例えば、プログラマ１４は、臨床医がＩＭＤ１６と通信して、ＩＭＤ１６用の１つまたは複数の治療プログラムをプログラムするために使用する臨床医プログラマであることもある。これに加えて、またはその代わりに、プログラマ１４は、患者１２がプログラムを選択し、かつ／または治療パラメータ値を見て修正することを可能にする患者プログラマであることもある。臨床医プログラマは、患者プログラマよりも多くのプログラミング機能を含む可能性がある。換言すれば、訓練を受けていない患者がＩＭＤ１６に望ましくない変更を加えることを防止するために、より複雑または繊細な作業は、臨床医プログラマによってのみ可能となるようになっていることもある。
【００４１】
[0045]プログラマ１４は、ユーザが見ることができるディスプレイと、プログラマ１４に入力を与えるためのインタフェース（すなわちユーザ入力機構）とを備えた手持ち型コンピューティングデバイスであることもある。例えば、プログラマ１４は、ユーザに情報を提示する小型ディスプレイスクリーン（例えば液晶ディスプレイ（ＬＣＤ）または発光ダイオード（ＬＥＤ）ディスプレイ）を含むことがある。さらに、プログラマ１４は、タッチスクリーンディスプレイ、キーパッド、ボタン、周辺機器のポインティングデバイス、音声起動、またはユーザがプログラマ１４のインタフェース内を自由に移動して入力を与えることを可能にするその他の入力機構を含む可能性がある。プログラマ１４がボタンおよびキーパッドを含む場合には、ボタンが、例えば電源ボタンなど、特定の機能を実行するための専用であることもあるし、ボタンおよびキーパッドが、ユーザが現在見ているユーザインタフェースの部分に応じて機能が変化するソフトキーであることもあるし、あるいはそれらを任意に組み合わせた形態であることもある。
【００４２】
[0046]他の例では、プログラマ１４は、専用のコンピューティングデバイスではなく、さらに大型のワークステーション、または別の多機能デバイス内の別個のアプリケーションであることもある。例えば、多機能デバイスは、ノートブックコンピュータ、タブレットコンピュータ、ワークステーション、１つまたは複数のサーバ、携帯電話、携帯情報端末、あるいはコンピューティングデバイスが安全な医療デバイスプログラマ１４として動作することを可能にするアプリケーションを実行することができる別のコンピューティングデバイスであることもある。コンピューティングデバイスに結合されたワイヤレスアダプタが、コンピューティングデバイスとＩＭＤ１６の間の安全な通信を可能にすることもある。
【００４３】
[0047]プログラマ１４が臨床医によって使用されるように構成されているときには、プログラマ１４は、プログラミング情報をＩＭＤ１６に伝送するために使用されることもある。プログラミング情報は、例えば、リード２０のタイプ、リード２０上の電極２４、２６の構成、脳２８内のリード２０の位置、治療パラメータ値を規定する１つまたは複数の治療プログラム、１つまたは複数の電極２４、２６の治療可能時間域、およびＩＭＤ１６をプログラムするために有用である可能性があるその他の任意の情報などのハードウェア情報を含む可能性がある。プログラマ１４は、機能試験を完了する（例えばリード２０の電極２４、２６のインピーダンスを測定する）ことが出来ることもある。
【００４４】
[0048]臨床医は、プログラマ１４を援用して、治療プログラムを生成し、ＩＭＤ１６内に格納することもできる。プログラマ１４は、有益である可能性がある治療パラメータ値を識別するシステムを提供することによって、臨床医が治療プログラムの作成／識別を行うのを支援することができる。例えば、プログラミング期間中に、プログラマ１４は、患者に治療を送達するための電極の組合せを自動的に選択することがある。いくつかの例では、治療プログラムの少なくともいくつかが、同じ電極の組合せを有し（ただし少なくとも１つの他の治療パラメータの値は異なる）、これらの治療プログラムが、同じ電極の組合せをそれぞれが有する複数のサブセットに編成されることがある。プログラマ１４のプロセッサは、各サブセットについて最も有効な治療プログラムを選択し、選択した治療プログラムのリストを表示することができる。臨床医は、患者の状態に関連する症状に対処するための治療を患者１２に提供する治療プログラムを、そのリストから選択することができる。
【００４５】
[0049]プログラマ１４は、患者１２によって使用されるように構成されることもある。患者プログラマとして構成されるときには、プログラマ１４は、患者１２が患者１２にとって害になる可能性がある改変をＩＭＤ１６またはアプリケーションの重要な機能に加えることを防止するために、（臨床医プログラマと比較して）限られた機能しか有していないことがある。
【００４６】
[0050]プログラマ１４が、臨床医が使用するように構成されるか患者が使用するように構成されるかに関わらず、プログラマ１４は、ＩＭＤ１６、および任意選択で別のコンピューティングデバイスと、ワイヤレス通信を介して通信するように構成される。プログラマ１４は、例えば、無線周波数（ＲＦ）、および／あるいは近距離、中間距離、または長距離通信用の技術を含む可能性がある当技術分野で既知の電磁誘導式テレメトリ技術を使用して、ワイヤレス通信を介してＩＭＤ１６と通信することができる。プログラマ１４は、８０２．１１またはＢｌｕｅｔｏｏｔｈ（登録商標）規格設定によるＲＦ通信、ＩＲＤＡ規格設定による赤外線（ＩＲ）通信、あるいはその他の標準的な、またはプロプライエタリなテレメトリプロトコルなど、様々なローカルワイヤレス通信技術のいずれかを使用して、有線またはワイヤレスの接続を介して別のプログラマまたはコンピューティングデバイスと通信することもある。プログラマ１４は、磁気ディスクまたは光ディスク、メモリカード、あるいはメモリスティックなどの取外し可能媒体の交換を介して、他のプログラミングデバイスまたはコンピューティングデバイスと通信することもある。さらに、プログラマ１４は、例えばパーソナルエリアネットワーク（ＰＡＮ）、ローカルエリアネットワーク（ＬＡＮ）、広域ネットワーク（ＷＡＮ）、公衆交換電話網（ＰＳＴＮ）、または携帯電話網などを介して通信する、当技術分野で既知の遠隔テレメトリ技術を介してＩＭＤ１６および別のプログラマと通信することもある。
【００４７】
[0051]治療システム１０は、数カ月または数年にわたって慢性的刺激治療を患者１２に提供するように実装されることもある。ただし、システム１０は、完全に埋め込む前に治療を評価するために試験的に利用されることもある。一時的に実装される場合には、システム１０の一部の構成要素が、患者１２の体内に埋め込まれないこともある。例えば、患者１２は、ＩＭＤ１６ではなく、試験刺激装置などの外部医療デバイスを身につけていることもある。外部医療デバイスは、経皮延長部を介して経皮リードまたは埋込みリードに結合されることがある。試験刺激装置が、ＤＢＳシステム１０が有効な治療を患者１２に提供すると示す場合には、臨床医は、比較的長期の治療のために慢性的刺激装置を患者１２の体内に埋め込むことがある。
【００４８】
[0052]ＤＢＳは一部の神経性疾患の症状を上手く軽減することもあるが、その刺激が、本明細書で悪作用とも呼ぶ、望ましくない副作用を引き起こすこともある。副作用は、失禁、刺痛、平衡感覚障害、麻痺、言語不明瞭、記憶障害、抑制の低下、およびその他の多数の神経性の問題を含む可能性がある。副作用は、軽微なものから深刻なものまである可能性がある。ＤＢＳは、目標とする解剖学的領域の付近の解剖学的領域に電気刺激パルスを不注意で与えてしまうことによって、１つまたは複数の悪作用を生じることがある。これらの解剖学的領域は、刺激悪作用に関連する領域と呼ばれることもある。そのため、臨床医は、治療の有効性とその副作用とを比較し、副作用を最小限に抑える刺激パラメータ値を規定する治療プログラム（または複数の治療プログラム）でＩＭＤ１６をプログラムすることがある。
【００４９】
[0053]プログラマ１４または別のコンピューティングデバイスを援用して、臨床医は、電極の組合せなど、治療システム１０の治療パラメータの値を選択することができる。電気刺激治療を患者１２に送達するために特定の電極２４、２６を選択することにより、臨床医は、脳２８内の１つまたは複数の特定の組織領域を対象にし、脳２８内のその他の組織領域は回避するように、電気刺激治療を修正することができる。さらに、例えば振幅、パルス幅、およびパルスレートなど、電気刺激信号を規定するその他の刺激パラメータ値の値を選択することにより、臨床医は、選択した電極のサブセットを介して送達される患者１２にとって有効な治療を生成することができる。生理学的な多様性、条件の相違、およびリードの配置の不正確性により、パラメータ値は、患者によって様々なである可能性がある。
【００５０】
[0054]プログラミング期間中に、臨床医は、患者１２に有効な治療を提供することができる１つまたは複数の治療プログラムを決定することができる。患者１２は、評価中の特定のプログラムの有効性について臨床医にフィードバックを提供することがあり、このフィードバックは、その特定のプログラムによる治療の送達の悪作用に関する情報を含むことがある。いくつかの例では、患者フィードバックは、臨床評価尺度スコアを決定するために使用されることがある。臨床医が、患者１２に有益である可能性がある１つまたは複数のプログラムを特定したら、患者１２は、評価プロセスを継続し、どのプログラムが最も良好に患者１２の状態を軽減するなどして患者１２に有効な治療を提供するかを判定することができる。プログラマ１４は、有益である可能性がある治療パラメータを識別する系統的なシステムを提供することによって、臨床医が治療プログラムの作成／識別を行うのを支援することができる。
【００５１】
[0055]ＩＭＤ１６は、クロックに基づいて電気刺激を送達するように構成されることがある。例えば、ＩＭＤ１６の刺激エンジン（例えばＩＭＤ１６の１つまたは複数のプロセッサ、および／あるいは１つまたは複数の刺激生成器）は、クロック信号に基づいて１つまたは複数の動作を実行することがある。
【００５２】
[0056]本開示の１つまたは複数の技術によれば、以下でさらに詳細に述べるように、いくつかの例では、デバイス（例えばＩＭＤ１６、プログラマ１４、および／または別のコンピューティングデバイス）は、患者に刺激を送達する、ＩＭＤ１６によって使用されるクロックに基づいて増分されるカウンタのクロックを自動的に識別するように構成されることがある。例えば、デバイスは、カウンタの特定のカウントで刺激するコマンドを発行することがある。一例として、ＩＭＤ１６の刺激エンジンが、このコマンドを生成することがある。別の例として、プログラマ１４が、このコマンドをＩＭＤ１６に伝送することがある。
【００５３】
[0057]ＩＭＤ１６は、このコマンドを実行して、患者に刺激を送達することができる。例えば、ＩＭＤ１６は、カウンタの識別されたカウントがカウンタの現在のカウントの後で生じることになると判定したことに応答して、この識別されたカウントで電気刺激を送達することもできる。ただし、いくつかの例では、ＩＭＤ１６がカウントを識別するコマンドを受信するときまでに、カウンタの識別されたカウントが過ぎてしまっていることもある。いくつかの例では、カウンタの識別されたカウントが既に過ぎていても、識別されたカウントが生じてからそれほど経過していない場合には、ＩＭＤ１６が電気刺激を送達することが依然として望ましいことがある。したがって、いくつかの例では、ＩＭＤ１６は、カウンタの識別されたカウントが既に生じており、カウンタの現在のカウントとカウンタの識別されたカウントの間の差がしきい値カウント差を満足すると判定したことに応答して、カウンタの現在のカウントで電気刺激を送達することもある。カウンタの現在のカウントとカウンタの識別されたカウントの間の差がしきい値カウント差以下である場合に、カウンタの現在のカウントとカウンタの識別されたカウントの間の差がしきい値カウント差を満足する可能性がある。いくつかの例では、ＩＭＤ１６は、カウンタの識別されたカウントが既に生じており、カウンタの現在のカウントとカウンタの識別されたカウントの間の差がしきい値カウント差を満足しないと判定したことに応答して、識別されたカウントに基づいて電気刺激を送達することを控えることもある。このように、ＩＭＤ１６は、刺激を送達する時間的精度を改善することができる。
【００５４】
[0058]図２は、例示的なＩＭＤ１６の構成要素を示す機能ブロック図である。図２に示す例では、ＩＭＤ１６は、プロセッサ６０と、クロック６１と、メモリ６２と、刺激生成器６４と、感知モジュール６６と、スイッチモジュール６８と、テレメトリモジュール７０と、電源７２とを含む。メモリ６２、および本明細書に記載するその他のメモリは、ランダムアクセスメモリ（ＲＡＭ）、読取り専用メモリ（ＲＯＭ）、不揮発性ＲＡＭ（ＮＶＲＡＭ）、電気的消去可能プログラマブルＲＯＭ（ＥＥＰＲＯＭ）、およびフラッシュメモリなど、任意の揮発性媒体または不揮発性媒体を含む可能性がある。メモリ６２は、プロセッサ６０によって実行されたときに本明細書に記載する様々な機能をＩＭＤ１６に実行させるコンピュータ可読命令を格納することができる。
【００５５】
[0059]図２に示す例では、メモリ６２は、治療プログラム７４、動作命令７６、および刺激タイミングモジュール７８を、例えばメモリ６２内の別個のメモリ、またはメモリ６２内の別個の領域に格納することがある。格納された各治療プログラム７４は、電極の組合せ、電流または電圧の振幅などの電気刺激パラメータそれぞれの値として特定の治療プログラムを規定し、刺激生成器６４が刺激パルスを生成して送達する場合には、これらの治療プログラムが、刺激信号のパルス幅およびパルスレートの値を規定することがある。格納された各治療プログラム７４は、刺激パラメータ値のセットと呼ばれることもある。動作命令７６は、プロセッサ６０の制御下でＩＭＤ１６の全体的な動作を案内するものであり、電極２４、２６を介して１つまたは複数の脳領域内の脳信号を監視し、患者１２に電気刺激治療を送達する命令を含む可能性がある。以下でさらに詳細に述べるように、本開示の１つまたは複数の技術によれば、いくつかの例では、メモリ６２は、刺激タイミングモジュール７８を格納することがあり、この刺激タイミングモジュール７８は、正確な時点における電気刺激の送達を可能にするためにプロセッサ６０によって実行可能な命令を含むことがある。
【００５６】
[0060]刺激生成器６４は、プロセッサ６０の制御下で、選択された電極２４、２６の組合せを介して患者１２に送達される刺激信号を生成する。いくつかの例では、刺激生成器６４は、格納された１つまたは複数の治療プログラム７４に基づいて、刺激信号を生成し、選択された電極２４、２６の組合せを介して、脳２８（図１）の１つまたは複数の目標領域に送達する。刺激信号、またはその他のタイプの治療および刺激パラメータ値の脳２８内の目標組織部位は、実装する治療システム１０の管理対象の患者の状態によって決まる可能性がある。刺激パルスについて述べたが、刺激信号は、連続時間信号（例えば正弦波）など、任意の形態のものとすることができる。
【００５７】
[0061]クロック６１は、ＩＭＤ１６の１つまたは複数の構成要素にクロック信号を出力することがある。例えば、クロック６１は、プロセッサ６０および／または刺激生成器６４にクロック信号を出力することがある。いくつかの例では、クロック６１は、発振器、またはその他の任意のクロック生成器を含むことがある。
【００５８】
[0062]プロセッサ６０など、本開示に記載するプロセッサは、１つまたは複数のデジタル信号プロセッサ（ＤＳＰ）、汎用マイクロプロセッサ、特定用途向け集積回路（ＡＳＩＣ）、フィールドプログラマブルロジックアレイ（ＦＰＧＡ）、またはその他の等価な集積もしくは個別論理回路、あるいはそれらの組合せを含む可能性がある。本明細書に記載するプロセッサのものと考えられる機能は、ハードウェアデバイスによって提供され、ソフトウェア、ファームウェア、ハードウェア、またはそれらの任意の組合せとして実施される可能性がある。プロセッサ６０は、クロック６１から受信するクロック信号などのクロック信号に基づいて１つまたは複数の動作を実行するように構成されることがある。プロセッサ６０は、メモリ６２に格納された治療プログラム７４に従って刺激生成器６４を制御して、振幅、パルス幅、およびパルスレートなど、１つまたは複数のプログラムによって指定される特定の刺激パラメータ値を適用するように構成される。
【００５９】
[0063]図２に示す例では、リード２０Ａの電極２４のセットは、電極２４Ａ〜２４Ｄを含み、リード２０Ｂの電極２６のセットは、電極２６Ａ〜２６Ｄを含む。プロセッサ６０は、スイッチモジュール６８を制御して、刺激生成器６４によって生成された刺激信号を、電極２４および／または電極２６の選択された組合せに適用することができる。特に、スイッチモジュール６８は、刺激信号をリード２０内の選択された導体に結合することができ、この選択された導体が、選択された電極２４および／または電極２６を通して刺激信号を送達することができる。スイッチモジュール６８は、スイッチアレイ、スイッチマトリクス、マルチプレクサ、あるいは刺激エネルギーを選択された電極２４および／または電極２６に選択的に結合し、選択された電極２４および／または電極２６を用いて生体電気脳信号を選択的に感知するように構成されたその他の任意のタイプの切替えモジュールとすることができる。したがって、刺激生成器６４は、スイッチモジュール６８およびリード２０内の導体を介して電極２４および／または電極２６に結合される。ただし、いくつかの例では、ＩＭＤ１６は、スイッチモジュール６８を含まない。例えば、いくつかの例では、ＩＭＤ１６は、各電極に結合された個別の電圧源または電流源（すなわち電極２４および／または電極２６のそれぞれのための別個の電圧源および／または電流源）を含むこともある。
【００６０】
[0064]上述のように、プロセッサ６０は、スイッチモジュール６８を制御して、刺激生成器６４によって生成された刺激信号を、電極２４および／または電極２６の選択された組合せに適用することができる。いくつかの例では、電極２４および／または電極２６の選択された組合せは、単極性であることもある。例えば、単極性の選択された組合せは、一方を陽極、他方を陰極として、電極２４または電極２６の１つの接点と、ＩＭＤ１６の筐体（すなわちケースまたは缶）上の電極との組合せを含むこともある。いくつかの例では、電極２４および／または電極２６の選択された組合せは、双極性であることもある。一例として、双極性の選択された組合せは、一方を陽極、他方を陰極として、電極２４の中から選んだ２つの接点を含むこともある。別の例として、双極性の選択された組合せは、一方を陽極、他方を陰極として、接点２６の中から選んだ２つの電極を含むこともある。別の例として、双極性の選択された組合せは、一方を陽極、他方を陰極として、電極２４の中から選んだ電極と、電極２６の中から選んだ電極とを含むこともある。いくつかの例では、電極２４および／または電極２６の選択された組合せは、多極性であることもある。一例として、多極性の選択された組合せは、電極２４から選択した複数の陽極および／または複数の陰極を含むこともある。別の例として、多極性の選択された組合せは、電極２６から選択した複数の陽極および／または複数の陰極を含むこともある。一例として、多極性の選択された組合せは、電極２４および電極２６から選択した複数の陽極および／または複数の陰極を含むこともある。
【００６１】
[0065]刺激生成器６４は、単チャネルの刺激生成器であっても、多チャネルの刺激生成器であってもよい。特に、刺激生成器６４は、単一の電極の組合せを介して所与の時点に単一の刺激パルス、複数の刺激パルス、または連続信号を送達することができることもあるし、あるいは複数の電極の組合せを介して所与の時点に複数の刺激パルスを送達することができることもある。ただし、いくつかの例では、刺激生成器６４およびスイッチモジュール６８は、時間的に交互に複数のチャネルを送達するように構成されることもある。例えば、スイッチモジュール６８は、刺激生成器６４の出力を、異なる時点において異なる電極の組合せの間で時分割して、複数のプログラムまたは刺激エネルギーチャネルを患者１２に送達するように機能することもある。刺激生成器６４は、クロック６１から受信するクロック信号などのクロック信号に基づいて１つまたは複数の動作を実行するように構成されることがある。
【００６２】
[0066]感知モジュール６６は、プロセッサ６０の制御下で、電極２４および／または電極２６の選択されたサブセットを介して、あるいは１つまたは複数の電極２４および／または電極２６と、ＩＭＤ１６の導電性外側筐体３４の少なくとも一部分、ＩＭＤ１６の外側筐体上の電極、または別の基準部とによって、患者１２の生体電気脳信号を感知するように構成される。プロセッサ６０は、スイッチモジュール６８を制御して、感知モジュール６６を選択された電極２４および／または電極２６に電気的に接続することができる。このようにして、感知モジュール６６は、電極２４および／または電極２６（ならびに／あるいは電極２４および／または電極２６の電極以外の基準部）の様々な組合せを用いて、生体電気脳信号を選択的に感知することができる。
【００６３】
[0067]図２では、感知モジュール６６は、刺激生成器６４およびプロセッサ６０と共通の筐体３４に組み込まれているが、他の例では、感知モジュール６６は、ＩＭＤ１６の外側筐体３４とは別個の外側筐体内にあり、有線またはワイヤレス通信技術を介してプロセッサ６０と通信する。
【００６４】
[0068]テレメトリモジュール７０は、プロセッサ６０の制御下で、ＩＭＤ１６と外部プログラマ１４または別のコンピューティングデバイスとの間のワイヤレス通信をサポートするように構成される。ＩＭＤ１６のプロセッサ６０は、プログラムの更新として、プログラマ１４からテレメトリモジュール７０を介して振幅および電極の組合せなど様々な刺激パラメータの値を受信することがある。治療プログラムの更新は、メモリ６２の治療プログラム７４の部分に格納されることがある。ＩＭＤ１６のテレメトリモジュール７０、ならびにプログラマ１４など本明細書に記載する他のデバイスおよびシステムのテレメトリモジュールは、ＲＦ通信技術によって通信を実施することがある。さらに、テレメトリモジュール７０は、ＩＭＤ１６によるプログラマ１４との近接誘導的相互作用を介して外部医療デバイスのプログラマ１４と通信することもある。したがって、テレメトリモジュール７０は、連続的に、定期的な間隔で、あるいはＩＭＤ１６またはプログラマ１４からの要求時に、外部プログラマ１４に情報を送信する可能性がある。いくつかの例では、テレメトリモジュール７０とプログラマ１４の間のリンクの待ち時間は、様々であることがある。例えば、テレメトリモジュール７０とプログラマ１４の間で特定のデータを転送するための時間は、経時的に変化する可能性がある（すなわち一貫した固定値ではないこともある）。
【００６５】
[0069]電源７２は、ＩＭＤ１６の様々な構成要素に動作電力を送達する。電源７２は、小型の充電式または非充電式バッテリ、および動作電力を生成する発電回路を含む可能性がある。充電は、外部充電器とＩＭＤ１６内の誘導型充電コイルとの間の近接誘導型相互作用によって実施することができる。いくつかの例では、電力要件は、ＩＭＤ１６が患者の動きを利用して、充電式バッテリを細流充電する運動エネルギースカベンジングデバイスを実施することを可能にできる程度に小さいこともある。他の例では、従来のバッテリが、限られた時間使用されることがある。
【００６６】
[0070]本開示の１つまたは複数の技術によれば、刺激タイミングモジュール７８は、ＩＭＤ１６が正確な時点に電気刺激を送達することを可能にするようにプロセッサ６０によって実行可能であることもある。例えば、刺激タイミングモジュール７８は、刺激を患者に送達するカウンタのカウントを識別することもある。いくつかの例では、カウンタは、クロック６１に基づいて（すなわち連動して）増分されることもある。
【００６７】
[0071]上述のように、いくつかの例では、ＩＭＤ１６は、閉ループ技術を用いて電気刺激を送達することがある。そのような技術では、ＩＭＤ１６は、感知モジュール６６が得る感知された電気信号の表現など、患者の感知されたパラメータに基づいて、患者に電気刺激を送達することがある。いくつかの例では、患者についての感知された電気信号の表現は、カウンタのカウンタを基準にすることもある。例えば、特定の時点に測定された患者の電気信号のサンプルは、その特定の時点におけるカウンタのカウントでタグ付けされることがある。
【００６８】
[0072]刺激タイミングモジュール７８は、これらの表現に基づいて、刺激を患者に送達するカウンタのカウントを識別することがある。カウントの識別が、カウンタのカウントを基準にする患者の感知された電気信号の表現に基づくので、刺激タイミングモジュール７８は、患者に刺激を送達する将来のカウントをより良好に決定することができる。例えば、刺激タイミングモジュール７８は、外部源からのピーク振戦または内部脳信号からのシータリズムなどの関数と同期して患者に電気刺激を送達することを可能にすることもある。一例では、刺激タイミングモジュール７８は、患者についての感知された電気信号の表現を解析して、患者のシータ波のピークと一致するカウンタのカウントを予測することもできる。刺激タイミングモジュール７８は、識別されたティックカウントで刺激を送達するコマンドを生成することもある。いくつかの例では、コマンドは、電気刺激を送達するために使用される治療プログラム７４のうちの治療プログラム（すなわち電極の組合せ、電流または電圧の振幅などを指定する治療プログラム）をさらに識別することもある。
【００６９】
[0073]いくつかの例では、刺激タイミングモジュール７８がカウントを識別するのに要する時間の長さは、様々である可能性がある。例えば、感知された電気信号を解析して、刺激を送達するカウントを識別するのに要する時間の長さは、経時的に変化する可能性がある（すなわち一貫した固定値ではないこともある）。
【００７０】
[0074]ＩＭＤ１６は、命令を実行することができる。例えば、刺激タイミングモジュール７８は、カウンタの識別されたカウントがカウンタの現在のカウントの後で生じると判定したことに応答して、刺激生成器６４に識別されたカウントで電気刺激を送達させることがある。しかし、いくつかの例では、カウンタの識別されたカウントが、デバイスがそのカウントを識別するコマンドを受信したときには既に過ぎてしまっていることもある。いくつかの例では、カウンタの識別されたカウントが既に過ぎていても、識別されたカウントが生じてからそれほど経過していない場合には、ＩＭＤ１６が電気刺激を送達することが依然として望ましいことがある。したがって、いくつかの例では、刺激タイミングモジュール７８は、カウンタの識別されたカウントが既に生じており、カウンタの現在のカウントとカウンタの識別されたカウントの間の差がしきい値カウント差を満足する（すなわち「遅れマージン」内である）と判定したことに応答して、刺激生成器６４にカウンタの現在のカウントで電気刺激を送達させることもある。同様に、いくつかの例では、刺激タイミングモジュール７８は、カウンタの識別されたカウントが既に生じており、カウンタの現在のカウントとカウンタの識別されたカウントの間の差がしきい値カウント差を満足しないと判定したことに応答して、刺激生成器６４に識別されたカウントに基づいて電気刺激を送達させることを控えることもある。このように、刺激タイミングモジュール７８は、刺激を送達する時間的精度を改善することができる。
【００７１】
[0075]いくつかの例では、ＩＭＤ１６の刺激タイミングモジュール７８によって実行される動作のうちの１つまたは複数を、１つまたは複数の他のデバイスの間に分散させることもある。例えば、図３を参照して以下で述べるように、外部デバイス（例えばプログラマ１４）が、カウントを識別し、コマンドを生成し、そのコマンドをＩＭＤ１６に伝送することもある。
【００７２】
[0076]図３は、外部の医療デバイスプログラマ１４（図１）の構成要素を示す機能ブロック図である。プログラマ１４は、プロセッサ８０と、メモリ８２と、テレメトリモジュール８４と、ユーザインタフェース８６と、電源８８とを含む。プロセッサ８０は、ユーザインタフェース８６およびテレメトリモジュール８４を制御し、メモリ８２に情報および命令を格納し、メモリ８２から情報および命令を取り出す。プログラマ１４は、臨床医プログラマまたは患者プログラマとして使用されるように構成されることがある。プロセッサ８０は、１つまたは複数のマイクロプロセッサ、ＤＳＰ、ＡＳＩＣ、ＦＰＧＡ、またはその他の等価な集積もしくは個別論理回路などの１つまたは複数のプロセッサの任意の組合せを含む可能性がある。したがって、プロセッサ８０は、ハードウェアであるか、ソフトウェアであるか、ファームウェアであるか、またはそれらの任意の組合せであるかに関わらず、本明細書においてプロセッサ８０のものとされる機能を実行する任意の適当な構造を含む可能性がある。
【００７３】
[0077]臨床医または患者１２などのユーザは、ユーザインタフェース８６を通してプログラマ１４と対話することができる。ユーザインタフェース８６は、ＬＣＤまたはＬＥＤディスプレイあるいはその他のタイプのスクリーンなどのディスプレイ（図示せず）を含み、プロセッサ８０は、これを用いて、治療に関係する情報（例えば電極、および関連する治療可能時間域）を提示することができる。さらに、ユーザインタフェース８６は、ユーザからの入力を受け取る入力機構を含むこともある。入力機構は、例えば、ボタン、キーパッド（例えばアルファベットキーパッド）、周辺機器のポインティングデバイス、タッチスクリーン、またはユーザがプログラマ１４のプロセッサ８０によって提示されるインタフェース内を自由に移動して入力を与えることを可能にするその他の入力機構を含む可能性がある。他の例では、ユーザインタフェース８６は、可聴通知、命令、またはその他の音声を患者１２に提供する、または患者１２から音声コマンドを受け取る、あるいはその両方を行う、オーディオ回路も含む。
【００７４】
[0078]メモリ８２は、ユーザインタフェース８６およびテレメトリモジュール８４を動作させる命令、ならびに電源８８を管理する命令を含むことがある。図３に示す例では、メモリ８２は、カウンタモジュール７８も格納する。
【００７５】
[0079]いくつかの例では、患者１２、臨床医、または別のユーザは、他のかたちでプログラマ１４のユーザインタフェース８６と対話して、治療プログラムを手作業で選択する、新たな治療プログラムを生成する、治療プログラムを修正する、新たなプログラムをＩＭＤ１６に伝送する、またはそれらの任意の組合せを行うこともできる。
【００７６】
[0080]メモリ８２は、ＲＡＭ、ＲＯＭ、ＥＥＰＲＯＭ、またはフラッシュメモリなど、任意の揮発性または不揮発性のメモリを含む可能性がある。メモリ８２は、メモリ更新またはメモリ容量の増大をもたらすために使用することができる取外し可能メモリ部分を含むこともある。取外し可能メモリにより、プログラマ１４を異なる患者が使用する前に、プライバシーに関わる患者データを除去できるようにすることもできる。
【００７７】
[0081]プログラマ１４のワイヤレステレメトリは、外部プログラマ１４によるＩＭＤ１６とのＲＦ通信または近接誘導型相互作用によって実施されることがある。このワイヤレス通信は、テレメトリモジュール８４を使用することによって可能である。したがって、テレメトリモジュール８４は、ＩＭＤ１６内に収容されたテレメトリモジュールと同様であることがある。他の例では、プログラマ１４は、赤外線通信、または有線接続による直接通信を行うことができることもある。このように、他の外部デバイスが、安全なワイヤレス接続を確立する必要なく、プログラマ１４と通信することができることもある。
【００７８】
[0082]電源８８は、プログラマ１４の構成要素に動作電力を送達するように構成される。電源８８は、バッテリ、および動作電力を生成する発電回路を含む可能性がある。いくつかの例では、バッテリは、動作時間を延長できるように充電可能であることもある。充電は、電源８８を交流（ＡＣ）コンセント差込口に接続されたクレードルまたはプラグに電気的に結合することによって行うことができる。さらに、充電は、外部充電器と、プログラマ１４内の誘導型充電コイルとの間の近接誘導型相互作用によって行うこともできる。他の例では、従来のバッテリ（例えばニッケルカドミウム電池、またはリチウムイオン電池）が使用されることもある。さらに、プログラマ１４を交流コンセント差込口に直接結合して動作させることもある。
【００７９】
[0083]様々な情報は、プログラマ１４のメモリ８２に格納されるものとして図示および説明したが、別法として、またはこれに加えて、この情報の一部または全てを、ＩＭＤ１６のメモリ６２に格納することもできることは理解されるであろう。さらに、プログラム１４のプロセッサ８０のものとされる機能の少なくとも一部が、別法として、またはこれに加えて、以下で述べるようにＩＭＤ１６のプロセッサ６０のものとされることもある（また、その逆もある）。例えば、上述のように、プログラマ１４の刺激タイミングモジュール７８は、刺激を送達する、ＩＭＤ１６によって維持されるカウンタのカウントを識別することができる。刺激タイミングモジュール７８は、刺激を送達する識別されたカウントを示すコマンドを生成し、テレメトリモジュール８４に、このコマンドをＩＭＤ１６のテレメトリモジュール７０に伝送させることもある。
【００８０】
[0084]いくつかの例では、プログラマ１４の刺激タイミングモジュール７８は、患者についての感知された電気信号に基づいて、カウントを識別することもある。例えば、ＩＭＤ１６のテレメトリモジュール７０は、ＩＭＤ１６が患者に電気刺激を送達するために使用するクロックと連動するカウンタのカウントを基準とする、患者についての感知された電気信号の１つまたは複数の表現を、プログラマ１４のテレメトリモジュール８４に伝送することもある。
【００８１】
[0085]図４Ａおよび図４Ｂは、本開示の１つまたは複数の技術による、患者への電気刺激治療の例示的な送達を示すグラフである。図４Ｂは、図４Ａの一部を拡大して表すことがある。例えば、図４Ｂは、図４Ａの領域４００内の部分を表すことがある。図４Ａおよび図４Ｂのプロット４０２は、患者の感知された電気信号および／または処理された電気信号など、患者のバイオマーカを表すことがある。図４Ａおよび図４Ｂのこの例では、所望の刺激は、バイオマーカのピーク位相を中心とする２相パルスであることがある。
【００８２】
[0086]本開示の１つまたは複数の技術によれば、患者のバイオマーカを解析することができ、時点ｔｔ（目標時点）に刺激を送達するという判断が、時点ｔｄ（判定時点）に行われることもある。時点ｔｔに刺激を送達するコマンドが、時点ｔｔに刺激デバイス（例えばＩＭＤ１６）に伝送されることもある。
【００８３】
[0087]コマンドは、時点ｔｒ＿ｍｉｎと時点ｔｒ＿ｍａｘの間に刺激デバイスによって受信されることがある。上述のように、コマンドを転送するのに要する時間の長さは、通信チャネルによって決まり、１つの一定の時間ではなく、変動する。コマンドを受信すると、刺激デバイスは、ｔｔに刺激をスケジュールすることができる。
【００８４】
[0088]時点ｔｔで、刺激デバイスは、刺激の送達を開始することができる。時点ｔｏｆｆで、刺激デバイスは、刺激の送達を完了することができる。刺激が、設定レートの設定数のパルスであることもあるし、あるいはオフ時間がスケジュールされていることもある。
【００８５】
[0089]図５は、本開示の１つまたは複数の技術による、正確な時間に患者に電気刺激を送達する例示的な技術を示す流れ図である。説明のために、ＩＭＤ１６のプロセッサ６０に関連して、図５の技術を説明する。ただし、プロセッサ６０以外のプロセッサが、図５の技術の一部または全体を実行することもできる。
【００８６】
[0090]ＩＭＤ１６は、ＩＭＤ１６が患者に電気刺激を送達するために使用するクロックと連動するカウンタを維持することができる（５０２）。クロックは、ＩＭＤ１６の刺激エンジンを形成および／または実行するＩＭＤ１６のプロセッサ６０および／または刺激生成器６４によって使用されるクロック信号であることもある。いくつかの例では、プロセッサ６０は、クロックのサイクルごとに、ティックカウンタと呼ばれることもあるこのカウンタを増分することがある。例えば、プロセッサ６０は、クロック信号の立ち上がり縁部または立ち下がり縁部に応答してティックカウンタを増分することもある。
【００８７】
[0091]ＩＭＤ１６は、カウンタのカウントを基準とする患者についての感知された電気信号の１つまたは複数の表現を取得することがある（５０４）。例えば、ＩＭＤ１６の感知モジュール６６が、電極２４および／または電極２６の選択されたサブセットを介して、あるいは１つまたは複数の電極２４および／または電極２６と、ＩＭＤ１６の導電性外側筐体３４の少なくとも一部分、ＩＭＤ１６の外側筐体上の電極、または別の基準部とによって、患者の生体電気脳信号を測定することもある。プロセッサ６０または感知モジュール６６は、それらの測定が行われた時点のカウンタの値でそれらの測定値にタイムスタンプすることがある。したがって、感知された電気信号の表現は、カウンタのカウントを基準とするものと考えることができる。
【００８８】
[0092]ＩＭＤ１６は、患者についての感知された電気信号の１つまたは複数の表現に基づいて、刺激を患者に送達するカウンタのカウントを識別することがある（５０６）。例えば、プロセッサ６０は、刺激タイミングモジュール７８を実行して、患者に刺激を送達する将来のカウントを決定することがある。例えば、刺激タイミングモジュール７８は、外部源からのピーク振戦または内部脳信号からのシータリズムなどの関数と同期して患者に電気刺激を送達することを可能にすることもある。一例では、刺激タイミングモジュール７８は、患者についての感知された電気信号の表現を解析して、患者のシータ波のピークと一致するカウンタのカウントを予測することもできる。刺激タイミングモジュール７８は、識別されたティックカウントで刺激を送達するコマンドを生成することもある。いくつかの例では、コマンドは、電気刺激を送達するために使用される治療プログラム７４のうちの治療プログラム（すなわち電極の組合せ、電流または電圧の振幅などを指定する治療プログラム）をさらに識別することもある。
【００８９】
[0093]いくつかの例では、１つまたは複数の他のデバイスが、刺激を送達するカウントの識別に参加することもある。例えば、ＩＭＤ１６は、カウンタのカウントを基準とする患者についての感知された電気信号の表現を取得し、これらの表現をプログラマ１５などの別のデバイスに伝送（例えば有線伝送またはワイヤレス伝送）するために出力することもある。この別のデバイスは、取得した表現に基づいて、刺激を送達する将来のカウントを識別し、識別されたカウントを含むコマンドをＩＭＤ１６に伝送することができる。ＩＭＤ１６は、このコマンドを受信し、識別されたカウントに基づいて電気信号を送達することができる。したがって、いくつかの例では、ＩＭＤ１６は、プログラマ１５など別のデバイスからコマンドを受信することによって、患者に刺激を送達するカウンタのカウントを識別することがある。
【００９０】
[0094]ＩＭＤ１６は、カウンタの識別されたカウントに基づいて、電気刺激を患者に送達することがある（５０８）。一例として、刺激タイミングモジュール７８は、刺激生成器６４に、識別されたカウントで患者に電気刺激を送達させることもある。別の例として、刺激タイミングモジュール７８は、刺激生成器６４に、識別されたカウントに基づいて決定されたカウント（例えば識別されたカウントのＮカウント前、識別されたカウントのＭカウント後など）で患者に電気刺激を送達させることもある。
【００９１】
[0095]図６は、本開示の１つまたは複数の技術による、正確な時点における患者への電気刺激の送達を制御する例示的な技術を示す流れ図である。説明のために、プログラマ１４のプロセッサ８０に関連して、図６の技術を説明する。ただし、プロセッサ８０以外のプロセッサが、図６の技術の一部または全体を実行することもできる。
【００９２】
[0096]プログラマ１４は、医療デバイスが患者に電気刺激を送達するために使用するクロックと連動したカウンタを維持する医療デバイスから、そのカウンタのカウントを基準とする患者についての感知された電気信号の１つまたは複数の表現を受信することがある（６０２）。例えば、プログラマ１４のプロセッサ８０は、ＩＭＤ１６からプログラマ１４のテレメトリモジュール８４を介して、カウンタのカウントを基準とする（例えばタグ付け、スタンプなどがなされた）感知された電気信号の表現を受信することがある。
【００９３】
[0097]プログラマ１４は、患者についての感知された電気信号の表現に基づいて、患者に刺激を送達するカウンタのカウントを識別することがある（６０４）。例えば、プロセッサ８０は、刺激タイミングモジュール７８を実行して、患者に刺激を送達する将来のカウントを決定することがある。例えば、刺激タイミングモジュール７８は、外部源からのピーク振戦または内部脳信号からのシータリズムなどの関数と同期して患者に電気刺激を送達することを可能にすることもある。一例では、刺激タイミングモジュール７８は、患者についての感知された電気信号の表現を解析して、患者のシータ波のピークと一致するカウンタのカウントを予測することもできる。刺激タイミングモジュール７８は、識別されたティックカウントで刺激を送達するコマンドを生成することもある。いくつかの例では、コマンドは、電気刺激を送達するために使用される治療プログラム（すなわち電極の組合せ、電流または電圧の振幅などを指定する治療プログラム）をさらに識別することもある。
【００９４】
[0098]プログラマ１４は、カウンタの識別されたカウントに基づいて刺激を送達するコマンドを医療デバイスに出力することがある（６０６）。例えば、プロセッサ８０は、テレメトリモジュール８４に、カウンタの識別されたカウントに基づいて刺激を送達するコマンドを医療デバイスに伝送させることもある。一例としては、テレメトリモジュール８４は、医療デバイスに識別されたカウントで患者に電気信号を送達させるコマンドを伝送する。別の例としては、テレメトリモジュール８４は、医療デバイスに、識別されたカウントに基づいて決定されたカウント（例えば識別されたカウントのＮカウント前、識別されたカウントのＭカウント後など）で患者に電気刺激を送達させるコマンドを伝送する。
【００９５】
[0099]上述の技術は、主としてＩＭＤ１６のプロセッサ６０、またはプログラマ１４のプロセッサ８０によって実行されるものとして説明したが、他の例では、１つまたは複数の他のプロセッサが、単独で、またはプロセッサ６０またはプロセッサ８０に加えて、本明細書に記載する技術の任意の部分を実行することもある。したがって、単に「プロセッサ」と述べていても、それが「１つまたは複数のプロセッサ」を指していることもある。同様に、「１つまたは複数のプロセッサ」は、異なる例では、１つのプロセッサを指していることも、複数のプロセッサを指していることもある。
【００９６】
[0100]ＩＭＤ１６、プログラマ１４、または様々な構成要素のものとされる技術を含めて、本開示に記載する技術は、少なくとも部分的には、ハードウェア、ソフトウェア、ファームウェア、またはそれらの任意の組合せで実施される可能性がある。例えば、これらの技術の様々な特徴は、１つまたは複数のマイクロプロセッサ、ＤＳＰ、ＡＳＩＣ、ＦＰＧＡ、またはその他の任意の等価な集積もしくは個別論理回路などの１つまたはプロセッサ、ならびに臨床医プログラマもしくは患者プログラマなどのプログラマ内に実装されたそれらの構成要素、医療デバイス、またはその他のデバイスの任意の組合せの内部で実施される可能性がある。
【００９７】
[0101]１つまたは複数の例では、本開示に記載する機能は、ハードウェア、ソフトウェア、ファームウェア、またはそれらの任意の組合せで実施される可能性がある。ソフトウェアで実施される場合には、それらの機能は、コンピュータ可読媒体に１つまたは複数の命令またはコードとして格納され、ハードウェア型処理ユニットによって実行されることもある。コンピュータ可読媒体は、有形の非一時的媒体を形成するコンピュータ可読ストレージ媒体を含む可能性がある。命令は、１つまたは複数のＤＳＰ、ＡＳＩＣ、ＦＰＧＡ、汎用マイクロプロセッサ、またはその他の等価な集積もしくは個別論理回路など、１つまたは複数のプロセッサによって実行される可能性がある。したがって、本明細書で使用する「プロセッサ」という用語は、上述の構造のいずれか、または本明細書に記載する技術の実施に適したその他の任意の構造のうちの１つまたは複数を指している可能性がある。
【００９８】
[0102]さらに、いくつかの態様では、本明細書に記載する機能は、専用のハードウェアおよび／またはソフトウェアモジュール内に設けられることがある。様々な特徴をモジュールまたはユニットとして表現しているのは、様々な機能的特徴を強調するためであり、必ずしもそれらのモジュールまたはユニットが別個のソフトウェアまたはソフトウェア構成要素によって実現されなければならないことを意味しているわけではない。逆に、１つまたは複数のモジュールまたはユニットに関連する機能は、別個のハードウェアまたはソフトウェア構成要素によって実行される、あるいは共通または別個のハードウェアまたはソフトウェア構成要素内に一体化されることもある。また、これらの技術は、全体が１つまたは複数の回路または論理要素で実施することもできる。本開示の技術は、ＩＭＤ、外部プログラマ、ＩＭＤと外部プログラマの組合せ、集積回路（ＩＣ）またはＩＣのセット、ならびに／あるいはＩＭＤおよび／または外部プログラマ内にある個別電気回路など、幅広い様々なデバイスまたは装置で実施される可能性がある。
【００９９】
[0103]本開示の様々な例について説明した。上記その他の実施形態は、後記の特許請求の範囲に含まれる。
【図１】
2020503972.tif 000003
【図２】
2020503972.tif 000004
【図３】
2020503972.tif 000005
【図４Ａ】
2020503972.tif 000006
【図４Ｂ】
2020503972.tif 000007
【図５】
2020503972.tif 000008
【図６】
2020503972.tif 000009
【国際調査報告】
2020503972.tif 000010
2020503972.tif 000011
2020503972.tif 000012
2020503972.tif 000013